(57)【要約】【課題】モニタの大型化を抑制しつつ、操作性に優れた放射線撮影装置を提供する。【解決手段】本発明に係る放射線撮影装置は、表示部２１と、放射線源に対しての指示を入力させる指示入力手段とを備え、指示入力手段に指示が入力されたとき、表示部２１は、放射線源の設定を画面上の撮影像表示領域Ｒ１に重ねて表示する構成となっている。このようにすることで、画面が小さかったとしても、放射線撮影において重要な情報である放射線源の設定は、画面上の撮影像表示領域Ｒ１に重ねられて目立って表示されることになる。したがって、術者は、放射線撮影において重要な情報を確実に認識しながら放射線撮影を行うことができる。【選択図】図４
2010220838.tif 000002
【特許請求の範囲】
【請求項１】
放射線を照射する放射線源と、
前記放射線を検出する検出手段と、
前記検出手段から送出された検出データを基に被検体の投影像が写りこんだ放射線撮影画像を生成する撮影像生成手段と、
前記放射線撮影画像を表示させる撮影像表示領域を有する画面を備えた表示手段と、
前記放射線源に対しての指示を入力させる指示入力手段とを備え、
（Ａ１）前記指示入力手段に指示が入力されたとき、前記表示手段は、前記放射線源の設定を前記画面上の前記撮影像表示領域に重ねて表示することを特徴とする放射線撮影装置。
【請求項２】
請求項１に記載の放射線撮影装置において、
前記表示手段の画面において、前記撮影像表示領域以外の領域を撮影像非表示領域としたとき、
（Ａ２）前記指示入力手段に指示が入力されたとき、前記表示手段は、前記撮影像表示領域と前記撮影像非表示領域とを跨ぐ領域に前記放射線源の設定を重ねて表示させることを特徴とする放射線撮影装置。
【請求項３】
請求項１または請求項２に記載の放射線撮影装置において、
前記指示入力手段は、放射線を照射する旨の指示を入力させる具体的構成として、前記放射線源に対し放射線の照射が実行される旨を事前に通知する事前指示を入力させる事前指示入力手段と、前記放射線源に対し放射線を実際に照射するよう指示を行う実際指示を入力させる実際指示入力手段とを備え、
（Ａ３）前記事前指示が入力されたとき、前記表示手段は、前記放射線源の設定を前記画面上に表示することを特徴とする放射線撮影装置。
【請求項４】
請求項３に記載の放射線撮影装置において、
前記実際指示を前記放射線源に伝達させるかどうかを判断する判断手段と、
確認入力を入力させる確認入力手段とを備え、
前記表示手段が前記放射線源の設定を前記画面上に表示した後、前記判断手段は、前記確認入力が入力されるまで待機し、
前記判断手段は、前記確認入力が行われる前に前記実際指示が行われた場合、この実際指示を無効とし、前記放射線源による放射線の照射を行わせないことを特徴とする放射線撮影装置。
【請求項５】
請求項４に記載の放射線撮影装置において、
前記確認入力手段は、前記画面上に表示される操作アイコンであり、
前記操作アイコンは、前記画面における前記放射線源の設定が表示される領域である設定値表示領域の内部または近傍に表示されることを特徴とする放射線撮影装置。
【請求項６】
請求項５に記載の放射線撮影装置において、
前記操作アイコンは、前記画面上における前記放射線源の設定の出現に合わせて前記画面上に出現することを特徴とする放射線撮影装置。
【請求項７】
請求項３に記載の放射線撮影装置において、
前記実際指示を前記放射線源に伝達させるかどうかを判断する判断手段と、
待機時間の間隔を記憶する時間記憶手段とを備え、
前記判断手段は、前記事前指示が入力された時点を起点とした前記待機時間以内に実際指示の指示がなされた場合、この実際指示を無効とし、前記放射線源による放射線の照射を行わせないことを特徴とする放射線撮影装置。
【請求項８】
請求項７に記載の放射線撮影装置において、
前記待機時間以内の間、前記表示手段の画面上には、前記実際指示が有効となるまでの残り時間を示すカウントダウンが表示されることを特徴とする放射線撮影装置。
【請求項９】
請求項１ないし請求項８のいずれかに記載の放射線撮影装置において、
前記表示手段が有する画面の対角寸法は、２１インチ以下となっていることを特徴とする放射線撮影装置。
【請求項１０】
請求項１ないし請求項９のいずれかに記載の放射線撮影装置において、
前記表示手段に表示されている前記放射線源の設定は、放射線が照射され、生成された放射線撮影画像が画面の撮影像表示領域に表示される前に、前記画面上から消去されることを特徴とする放射線撮影装置。
【発明の詳細な説明】
【技術分野】
【０００１】
本発明は、被検体の透視画像を取得できる放射線撮影装置に関し、特に、放射線撮影画像と放射線撮影の諸条件を単一のモニタに表示する放射線撮影装置に関する。
【背景技術】
【０００２】
医療機関には、被検体の撮影像を取得する放射線撮影装置が配備されている。この様な放射線撮影装置における従来の構成について説明する。従来の放射線撮影装置は、被検体を載置する天板と、天板の上部に設けられた放射線源と、天板の下部に設けられた放射線検出手段（ＦＰＤ）と、撮影された放射線撮影画像を表示する表示部（モニタ）を備えている。このような構成は、例えば特許文献１に記載されている。
【０００３】
従来のモニタの構成について説明する。従来の放射線撮影装置には、図７に示すように、２つのモニタ５１，５２が設けられている。第１モニタ５１は、被検体の撮影画像を表示するもので、高解像度のものが用いられる。第２モニタ５２は、画面上には、放射線強度などの撮影条件、患者ＩＤなどの放射線撮影画像における付加情報、および、装置の制御に関する操作アイコン等が配列されている。一般に、第２モニタ５２は、第１モニタ５１よりも小さい。
【０００４】
放射線撮影装置には、２つのコンソール（制御装置）が設けられており、第１コンソールは第１モニタ５１に接続されており、放射線撮影装置本体から放射線検出データを受け取って、それを放射線撮影画像に組み立てる演算を担当している。第２コンソールは、第２モニタ５２に接続されており、放射線撮影における各種パラメータの管理、ファイルの保存、および術者が放射線撮影装置に対して行う操作の受付を担当している。
【先行技術文献】
【特許文献】
【０００５】
【特許文献１】特開２００５−３２８９３２号公報
【発明の概要】
【発明が解決しようとする課題】
【０００６】
しかしながら、従来構成の放射線撮影装置には、次のような問題点がある。すなわち、従来の放射線撮影装置は、装置の小型化を目指すにあたり、不利な構成となっている。小型化を達成するには、２つのコンソールを有するよりも、単一なコンソールを備えるものとする方式が採用したほうがよい。これに伴って、モニタも単一なものとする構成が望まれる。そうすれば、モニターも１つにまとめられるので、モニター１つ分が占有に必要なスペースを開放することができる。
【０００７】
この様な設定の変更は、一見、容易に達成できるように思われるが、実はそうではない。モニタを単一とすると、第１モニタ５１に表示していた放射線撮影画像をモニタの中央に大きく表示し、第２モニタ５２に表示していた各種条件をモニタの端部に表示することになる。すると、第２モニタ５２に表示されていた各種条件は、モニタにおける帯状の領域に小さく並べて表示しなければならなくなり、術者にとって見づらいものとなる。
【０００８】
検査時における術者は、被検体に対して指示を行ったり、放射線撮影装置本体を操作したりして、被検体の周りを動き回り、モニタの前に座り続けるのではない。術者がモニタを凝視しなければ、操作ができない構成となっているのでは、術者の機動性を妨げることになり、検査が非効率となってしまう。この様な問題があるので、コンソールを単一としても、モニタを単一にできない事情が生じる。
【０００９】
なお、単一で巨大なモニタを用意すれば、上述の課題が解決するかのように思われる。しかし、このようなモニタは、検査室の限られたスペースを占有してしまう。検査室が狭い場合、巨大なモニタを有する放射線撮影装置を設置することは困難となる。かくして、モニタの表示方法を工夫することにより、小さなモニタでも優れた操作性を実現する必要性があるのである。
【００１０】
本発明は、この様な事情に鑑みてなされたものであって、その目的は、モニタの大型化を抑制しつつ、操作性に優れた放射線撮影装置を提供することにある。
【課題を解決するための手段】
【００１１】
本発明は、上述の課題を解決するために、次のような構成をとる。
すなわち、請求項１に係る発明は、放射線を照射する放射線源と、放射線を検出する検出手段と、検出手段から送出された検出データを基に被検体の投影像が写りこんだ放射線撮影画像を生成する撮影像生成手段と、放射線撮影画像を表示させる撮影像表示領域を有する画面を備えた表示手段と、放射線源に対しての指示を入力させる指示入力手段とを備え、（Ａ１）指示入力手段に指示が入力されたとき、表示手段は、放射線源の設定を画面上の撮影像表示領域に重ねて表示することを特徴とするものである。
【００１２】
［作用・効果］本発明によれば、操作性の優れた放射線撮影装置が提供できる。すなわち、本発明に係る放射線撮影装置は、放射線源に対しての指示を入力させる指示入力手段を備え、指示入力手段に指示が入力されたとき、表示手段は、放射線源の設定を画面上の撮影像表示領域に重ねて表示する構成となっている。すなわち、画面上の撮影像表示領域には、被検体の投影画像が写し出されており、放射線源の設定は、それに重ねて表示される。このようにすることで、画面が小さかったとしても、放射線撮影において重要な情報である放射線源の設定は、画面上の撮影像表示領域に重ねられて目立って表示されることになる。したがって、術者は、放射線撮影において重要な情報を確実に認識しながら放射線撮影を行うことができる。
【００１３】
また、請求項２に係る発明は、請求項１に記載の放射線撮影装置において、表示手段の画面において、撮影像表示領域以外の領域を撮影像非表示領域としたとき、（Ａ２）指示入力手段に指示が入力されたとき、表示手段は、撮影像表示領域と撮影像非表示領域とを跨ぐ領域に放射線源の設定を重ねて表示させることを特徴とするものである。
【００１４】
［作用・効果］この様な構成とすることで、画面上において、放射線源の設定は、更に目立って表示されることになる。すなわち、放射線源の設定は、撮影像表示領域から撮影像非表示領域に向けてはみ出して表示される、更に大きく表示される。したがって、術者は、放射線撮影において重要な情報をより確実に認識しながら放射線撮影を行うことができる。
【００１５】
また、請求項３に係る発明は、請求項１または請求項２に記載の放射線撮影装置において、指示入力手段は、放射線を照射する旨の指示を入力させる具体的構成として、放射線源に対し放射線の照射が実行される旨を事前に通知する事前指示を入力させる事前指示入力手段と、放射線源に対し放射線を実際に照射するよう指示を行う実際指示を入力させる実際指示入力手段とを備え、（Ａ３）事前指示が入力されたとき、表示手段は、放射線源の設定を画面上に表示することを特徴とするものである。
【００１６】
［作用・効果］上述の構成は、指示入力手段の詳細な構成を示したものである。すなわち、指示入力手段は、事前指示入力手段と、実際指示入力手段とを備えている。この様に放射線照射の指示を２段階に分けることにより、放射線撮影装置は、放射線源に対して放射線を照射させる事前準備を行うことができるので、より円滑な撮影が可能となるのである。しかも、放射線源の設定が画面上に表示されるのは、事前指示が入力された時点である。したがって術者は、放射線が実際に照射されるのに先立って放射線源の設定を確認することができるのである。
【００１７】
また、請求項４に係る発明は、請求項３に記載の放射線撮影装置において、実際指示を放射線源に伝達させるかどうかを判断する判断手段と、確認入力を入力させる確認入力手段とを備え、表示手段が放射線源の設定を画面上に表示した後、判断手段は、確認入力が入力されるまで待機し、判断手段は、確認入力が行われる前に実際指示が行われた場合、この実際指示を無効とし、放射線源による放射線の照射を行わせないことを特徴とするものである。
【００１８】
［作用・効果］上述の構成によれば、判断手段を備えている。判断手段は、指示入力手段と、放射線源との間の情報の伝達を介在しており、実際指示を無効化することができる。この判断手段は、術者による確認入力の後、実際指示が行われた場合に限って放射線の照射を行わせる。これにより、実際指示が行われる前に、術者に対し、放射線源の設定を視認させる期間を与えることができる。
【００１９】
また、請求項５に係る発明は、請求項４に記載の放射線撮影装置において、確認入力手段は、画面上に表示される操作アイコンであり、操作アイコンは、画面における放射線源の設定が表示される領域である設定値表示領域の内部または近傍に表示されることを特徴とするものである。
【００２０】
［作用・効果］上述の構成によれば、確認入力手段は、画面上に表示される操作アイコンである。しかもこの操作アイコンは、設定値表示領域の内部または近傍に表示される。したがって、操作アイコンを操作するとき、術者の視界に、設定値表示領域が収まることになる。こうして、放射線源の設定の視認性をより向上させることができる。
【００２１】
また、請求項６に係る発明は、請求項５に記載の放射線撮影装置において、操作アイコンは、画面上における放射線源の設定の出現に合わせて画面上に出現することを特徴とするものである。
【００２２】
［作用・効果］上述の構成によれば、より操作性に優れた放射線撮影装置が提供できる。操作アイコンは、放射線源の設定を術者に確認させるための構成である。したがって、操作アイコンは、画面上における放射線源の設定の出現に合わせて画面上に出現させるほうがより望ましいのである。
【００２３】
また、請求項７に係る発明は、請求項３に記載の放射線撮影装置において、実際指示を放射線源に伝達させるかどうかを判断する判断手段と、待機時間の間隔を記憶する時間記憶手段とを備え、判断手段は、事前指示が入力された時点を起点とした待機時間以内に実際指示の指示がなされた場合、この実際指示を無効とし、放射線源による放射線の照射を行わせないことを特徴とするものである。
【００２４】
［作用・効果］上述の構成によれば、判断手段を備えている。判断手段は、指示入力手段と、放射線源との間の情報の伝達を介在しており、実際指示を無効化することができる。この判断手段は、待機時間の経過後、実際指示が行われた場合に限って放射線の照射を行わせる。これにより、実際指示が行われる前に、術者に対し、放射線源の設定を視認させる期間を与えることができる。
【００２５】
また、請求項８に係る発明は、請求項７に記載の放射線撮影装置において、待機時間以内の間、表示手段の画面上には、実際指示が有効となるまでの残り時間を示すカウントダウンが表示されることを特徴とするものである。
【００２６】
［作用・効果］上述の構成によれば、術者は、待機時間の経過を明確に知ることができる。したがって、より操作性の優れた放射線撮影装置が提供できる。
【００２７】
また、請求項９に係る発明は、請求項１ないし請求項８のいずれかに記載の放射線撮影装置において、表示手段が有する画面の対角寸法は、２１インチ以下となっていることを特徴とするものである。
【００２８】
［作用・効果］上述の構成は、表示手段の具体的な態様を表したものである。すなわち、表示手段が有する画面の対角寸法は、２１インチ以下となっている。表示手段がこの程度の大きさであれば、放射線撮影装置を設置する検査室が例え狭小であったとしても、表示手段を容易に設置することができる。
【００２９】
また、請求項１０に係る発明は、請求項１ないし請求項９のいずれかに記載の放射線撮影装置において、表示手段に表示されている放射線源の設定は、放射線が照射され、生成された放射線撮影画像が画面の撮影像表示領域に表示される前に、画面上から消去されることを特徴とするものである。
【００３０】
［作用・効果］上述の構成によれば、より操作性に優れた放射線撮影装置が提供できる。放射線撮影画像を新たに取得した場合、術者にとって関心のある情報は、放射線源の設定ではなく、放射線撮影画像である。上述の構成によれば、放射線源の設定は、新しい放射線撮影画像が画面に表示される前に画面から消去されている。この様に放射線撮影装置は、検査の段階に応じて術者に認識させるべき情報を画面上に表示する構成となっているのである。
【発明の効果】
【００３１】
本発明によれば、操作性の優れた放射線撮影装置が提供できる。すなわち、本発明に係る放射線撮影装置は、放射線源に対しての指示を入力させる指示入力手段とを備え、指示入力手段に指示が入力されたとき、表示手段は、放射線源の設定を画面上の撮影像表示領域に重ねて表示する構成となっている。このようにすることで、画面が小さかったとしても、放射線撮影において重要な情報である放射線源の設定は、画面上の撮影像表示領域に重ねられて目立って表示されることになる。したがって、術者は、放射線撮影において重要な情報を確実に認識しながら放射線撮影を行うことができる。
【図面の簡単な説明】
【００３２】
【図１】実施例１に係るＸ線撮影装置の構成を説明する機能ブロック図である。
【図２】実施例１に係る表示部の構成を説明する模式図である。
【図３】実施例１に係る指示入力スイッチの構成を説明する斜視図である。
【図４】実施例１に係る表示部の構成を説明する模式図である。
【図５】実施例１に係る表示部の構成を説明する模式図である。
【図６】本発明の１変形例の構成を示す模式図である。
【図７】従来構成を説明する模式図である。
【実施例１】
【００３３】
以下、本発明に係る放射線撮影装置の実施例について説明する。実施例１におけるＸ線は、本発明の放射線の一例である。
【００３４】
まず、実施例１に係るＸ線撮影装置１の構成について説明する。図１は、実施例１に係るＸ線撮影装置の構成を説明する機能ブロック図である。図１に示すように、実施例１に係るＸ線撮影装置１は、被検体Ｍを載置する天板２と、天板２の下部に設けられたＦＰＤ４と、天板２の上部に設けられたコーン状のＸ線ビームをＦＰＤ４に向けて照射するＸ線管３と、ＦＰＤ４とＸ線管３との介在する位置に設けられるとともに、ＦＰＤ４のＸ線検出面を覆うように設けられ散乱Ｘ線を除去するＸ線グリッド５と、Ｘ線管３の管電圧を制御するＸ線管制御部６とを備えている。Ｘ線管は、本発明の放射線源に相当し、ＦＰＤは、本発明の検出手段に相当する。
【００３５】
Ｘ線グリッド５は、ＦＰＤ４におけるＸ線を検出する検出面を覆うように設けられている。このＸ線グリッド５は、縦方向に細長状の吸収箔が横方向に配列された板状の部材である。被検体Ｍの中で散乱して進行方向が乱されたＸ線は、この吸収箔に入射して吸収され、ＦＰＤ４に届くことがない。この様に、被検体の投影像の取得の邪魔となる散乱Ｘ線の影響が除去され、より鮮明なＸ線撮影画像が取得できるようになっている。
【００３６】
また、実施例１に係るＸ線撮影装置１は、ＦＰＤ４から出力された検出信号を組み立てて、Ｘ線撮影画像を生成する撮影像生成部１１と、Ｘ線管制御部６にＸ線照射の指示を通過させるか判断する判断部１３と、時間を記憶する時間記憶部１５と、術者がＸ線照射の指示を行う指示入力スイッチ２２とを備えている。撮影像生成部は、本発明の撮影像生成手段に相当し、判断部は、本発明の判断手段に相当する。時間記憶部は、本発明の時間記憶手段に相当し、指示入力スイッチは、本発明の指示入力手段に相当する。この指示入力スイッチは、Ｘ線管３に対しＸ線の照射が実行される旨を事前に通知する事前指示を入力させることもできれば、Ｘ線管３に対しＸ線を実際に照射するよう指示を行う実際指示を入力させることもできる。したがって、指示入力スイッチは、本発明の事前指示入力手段、および実際指示入力手段の機能を兼ね備えている。
【００３７】
露出補正部１２は、撮影像生成部１１から出力される元画像の画素値を補正して、画像のコントラストや輝度を変更するものである。パラメータ記憶部１６は、Ｘ線管３の管電流、管電圧、Ｘ線照射の時間的な幅などを記憶する記憶部である。パラメータ記憶部１６は、上述のようなパラメータを関連付けた複数のデータセットを記憶している。
【００３８】
そして、Ｘ線撮影装置１は、Ｘ線撮影画像を表示する表示部２１を備えている。この表示部２１の構成について具体的に説明する。表示部２１は、図２に示すように、単一の画面（ディスプレー）Ｄを有しており、Ｘ線撮影装置１における種々のデータやパラメータを表示する構成となっている。画面Ｄの対角寸法は、２１インチ以下となっており、Ｘ線撮影装置１を設置する検査室のスペースが限られたものであったとしても、容易に設置ができる程度となっている。表示部２１は、本発明の表示手段に相当する。
【００３９】
表示部２１における画面Ｄ上には、種々の領域が設けられている。まず、画面Ｄには、被検体の撮影画像を表示する撮影像表示領域Ｒ１が設けられている。この領域は、画面Ｄに設けられた種々の領域の中で、最大の面積が割り当てられている。被検体の撮影画像は、被検体の微細な構造まで写し込んでおり、これを術者に視認させようとすれば、撮影像表示領域Ｒ１は、大きなほうがよい。なお、画面Ｄのうち、撮影像表示領域Ｒ１以外の部分を撮影像非表示領域と呼ぶことにする。
【００４０】
撮影像非表示領域には、被検体のＩＤ，Ｘ線撮影画像のシリアルナンバー、撮影日時などの各種パラメータを表示するパラメータ表示領域Ｒ２が設けられている。そして、撮影像非表示領域には、Ｘ線撮影画像の取得に係る各種の操作アイコンがアイコン表示領域Ｒ３に配列されている。このパラメータ表示領域Ｒ２およびアイコン表示領域Ｒ３は、撮影像表示領域Ｒ１以外の部分に配置されており、具体的には、画面ＤにおけるＬ型の側辺部に位置している。
【００４１】
次に、指示入力スイッチ２２について説明する。図３に示すように、指示入力スイッチ２２は、コードの末端に設けられたハンドスイッチであり、術者は、検査中、これを握ることができる。この指示入力スイッチ２２は、２つの接点を有する２段階スイッチとなっている。指示入力スイッチ２２のボタン２２ａを押すと、まず、ボタン２２ａは、第１の深さまで陥没する。この時点で接点の１つはＯＮされ、他方の接点はＯＦＦのままである。この状態からボタン２２ａに更に力を加えると、ボタン２２ａは、第２の深さまで陥没する。この時点で、ＯＦＦ状態であった他方の接点がＯＮされる。
【００４２】
また、Ｘ線撮影装置１は、Ｘ線管制御部６，撮影像生成部１１，露出補正部１２および判断部１３を統括的に制御する主制御部２５をも備えている。この主制御部２５は、ＣＰＵによって構成され、各種のプログラムを実行することにより各部６，１１，１２および１３を実現している。
【００４３】
この様な構成となっているＸ線撮影装置１の動作について説明する。まず、被検体Ｍは天板２に載置されている。術者は、アイコン表示領域Ｒ３に配列された検査手法の選択に係るアイコンをクリックし、ただ今から実行される撮影の様式をＸ線撮影装置１に伝達する。このとき、たとえば術者が胸部撮影のアイコンをクリックしたとすれば、胸部撮影に適したＸ線撮影条件に関するパラメータのデータセットがパラメータ記憶部１６から読み出される。こうして、胸部撮影のアイコンをクリックするだけで、Ｘ線撮影装置１は、Ｘ線撮影に必要なパラメータを一括的に知ることができる。なお、このパラメータは、術者の指示により、手動で変更が可能となっている。これにより、実施例１に係るＸ線撮影装置１は、被検体の体格に合わせた撮影が可能となっている。この様にアイコン表示領域Ｒ３に配列されたアイコンは、Ｘ線管３の設定値を変更する設定変更手段として機能する。
【００４４】
なお、この時点で、画面Ｄは、図２に示す如くとなっている。すなわち、術者は、被検体Ｍの撮影画像を複数枚に亘って取得しているものとし、図２における撮影像表示領域Ｒ１には、先程撮影されたＸ線撮影画像が写りこんでいるものとする。
【００４５】
術者は、被検体Ｍの体動が収まったことを確認して、指示入力スイッチ２２のボタン２２ａを１段目まで押下する。すると、術者は、Ｘ線撮影装置１に対して事前指示を入力したことになる。事前指示とは、Ｘ線管３に対してＸ線の照射が実行される旨を予め通知するもので、事前指示を受けたＸ線管制御部６は、Ｘ線管３に対し、Ｘ線照射の準備を開始させる。
【００４６】
このとき、表示部２１には、図４に示すように、Ｘ線管３の管電流、管電圧、Ｘ線管３における焦点の状況、露出補正部１２が行う露出補正の有無が設定値表示領域Ｒ４に表示される。術者は、この時点で、これから行われるＸ線撮影の詳細を明確に知ることができる。
【００４７】
図４に示す「１２０ｋｖ」とは、Ｘ線管３の管電圧を意味し、「２００ｍＡ」は、Ｘ線管３の管電流を意味する。また、図４に示す「４０ｍｓｅｃ」とは、Ｘ線の照射時間を意味している。そして、図４の「小焦点」とは、Ｘ線管３における焦点の状況を意味する。Ｘ線管３は、複数のフィラメントを有し、そこから飛び出した電子がターゲットに当たる事でＸ線を出力する構成となっている。使用するフィラメントの個数を増減させると、Ｘ線管３の出力を調整することができる。小焦点モードは、小出力の撮影に適しており、例えば、単一のフィラメントを用いたＸ線照射を意味している。「１２０ｋｖ」、「２００ｍＡ」「４０ｍｓｅｃ」、および「小焦点」は、本発明に係る放射線源の設定の一例である。
【００４８】
設定値表示領域Ｒ４は、撮影像表示領域Ｒ１に重ねられているとともに、撮影像非表示領域にも重ねられている。この様に、設定値表示領域Ｒ４は、両領域に跨って表示されるのである。このように設定値表示領域Ｒ４は、画面Ｄに表示されている各領域Ｒ１〜Ｒ３の境界を跨いで、画面Ｄに大きくポップアップ表示される。したがって、術者は、これを容易に視認することができるのである。
【００４９】
ＯＫアイコン領域Ｒ５には、術者がクリックすることのできるＯＫアイコン２６が表示されている。ＯＫアイコン領域Ｒ５は、設定値表示領域Ｒ４の内部に設けられている。しかしながら、これを設定値表示領域Ｒ４の近傍に設ける構成としてもよい。いずれかのようにすることで、術者は、画面上の視線を大きく動かすことなく、ＯＫアイコン２６をクリックすることができる。なお、図４におけるｃａｎｃｅｌアイコン２７（キャンセル入力手段）をクリックすると、Ｘ線撮影装置１は、術者が事前指示を入力する前の段階に戻る。ＯＫアイコンは、本発明の確認入力手段に相当する。
【００５０】
術者は、ＯＫアイコン２６をクリックしたあと、指示入力スイッチ２２のボタン２２ａを２段目まで押下する。この術者の指示は、実際にＸ線を照射せよという実際指示を意味している。Ｘ線撮影装置１は、これをもってＸ線の照射を開始する。ちなみに、術者がＯＫアイコン２６をクリックせずに実際指示を行った場合、判断部１３は、この実際指示を無効とし、Ｘ線管３によるＸの照射を行わせない。すなわち、ＯＫアイコン２６が表示された後、判断部１３は、ＯＫアイコン２６がクリックされるまで待機していることになる。つまり、術者は、Ｘ線照射の前に必ずＯＫアイコン２６をクリックせねばならなくなり、その際、設定値表示領域Ｒ４が視認されることになる。こうして、Ｘ線撮影装置１は、術者に照射条件を確実に通知させることができる。
【００５１】
被検体Ｍを透過したＸ線は、ＦＰＤ４に入射する。ＦＰＤ４は、検出データを撮影像生成部１１に送出する。この様にして取得されたＸ線撮影画像は、表示部２１における撮影像表示領域Ｒ１に表示される。すなわち、撮影像表示領域Ｒ１には、図４において表示されていたＸ線撮影画像に代わって、図５において示す新たなＸ線撮影画像が表示されるのである。このとき、図５に示すように、図４で表示されていた設定値表示領域Ｒ４とＯＫアイコン領域Ｒ５は画面Ｄから消去されている。この様に、両領域Ｒ４，Ｒ５は、新たなＸ線撮影画像の表示の邪魔とならない構成となっている。この様にして、実施例１に係るＸ線撮影装置の動作は終了となる。
【００５２】
また、画面Ｄ上におけるＯＫアイコン領域Ｒ５の出没のタイミングは、設定値表示領域Ｒ４のそれに付随している。すなわち、ＯＫアイコン領域Ｒ５は、画面Ｄ上に設定値表示領域Ｒ４が出現した時点で画面Ｄにポップアップ表示として現れ、画面Ｄ上から設定値表示領域Ｒ４が消去された時点で画面Ｄから消去される。ｃａｎｃｅｌアイコン２７もＯＫアイコン２６と同様である。
【００５３】
以上のように、実施例１によれば、操作性の優れたＸ線撮影装置１が提供できる。すなわち、実施例１に係るＸ線撮影装置１は、Ｘ線管３に対しての指示を入力させる指示入力スイッチ２２を備え、指示入力スイッチ２２に指示が入力されたとき、表示部２１は、管電流、管電圧などのＸ線管３の設定を画面上の撮影像表示領域Ｒ１に重ねて表示する構成となっている。すなわち、画面上の撮影像表示領域Ｒ１には、被検体Ｍの撮影像が写し出されており、Ｘ線管３の設定は、それに重ねて表示される。このようにすることで、画面の対角寸法が２１インチ以下であったとしても、Ｘ線撮影において重要な情報であるＸ線管３の設定は、画面上の撮影像表示領域Ｒ１に重ねられて目立って表示されることになる。したがって、術者は、Ｘ線撮影において重要な情報を確実に認識しながらＸ線撮影を行うことができる。
【００５４】
また、実施例１におけるＸ線管３の設定は、撮影像表示領域Ｒ１から撮影像非表示領域に向けてはみ出して表示されることで、更に大きく表示される。したがって、術者は、Ｘ線撮影において重要な情報をより確実に認識しながらＸ線撮影を行うことができる。
【００５５】
そして、実施例１の指示入力スイッチ２２は、事前指示入力スイッチ２２と、実際指示入力スイッチ２２とを備えている。この様にＸ線照射の指示を２段階に分けることにより、Ｘ線撮影装置１は、Ｘ線管３に対してＸ線を照射させる事前準備を行うことができるので、より円滑な撮影が可能となるのである。しかも、Ｘ線管３の設定が画面上に表示されるのは、事前指示が入力された時点である。したがって術者は、Ｘ線が実際に照射されるのに先立ってＸ線管３の設定を確認することができるのである。
【００５６】
また、実施例１の構成によれば、判断部１３を備えている。判断部１３は、指示入力スイッチ２２と、Ｘ線管３との間の情報の伝達を介在しており、実際指示を無効化することができる。この判断部１３は、術者による確認入力の後、実際指示が行われた場合に限ってＸ線の照射を行わせる。これにより、実際指示が行われる前に、術者に対し、Ｘ線管３の設定を視認させる期間を与えることができる。
【００５７】
また、ＯＫアイコン２６は、画面上に表示される操作アイコンである。しかもこのＯＫアイコン２６は、設定値表示領域Ｒ４の内部または近傍に表示される。したがって、ＯＫアイコン２６を操作するとき、術者の視界に、設定値表示領域Ｒ４が収まることになる。こうして、Ｘ線管３の設定の視認性をより向上させることができる。
【００５８】
さらに、そのＯＫアイコン２６は、Ｘ線管３の設定を術者に確認させるための構成である。したがって、ＯＫアイコン２６は、画面上におけるＸ線管３の設定の出現に合わせて画面上に出現させるようになっているのである。
【００５９】
また、表示部２１が有する画面の対角寸法は、２１インチ以下となっている。表示部２１がこの程度の大きさであれば、Ｘ線撮影装置１を設置する検査室が例え狭小であったとしても、表示部２１を容易に設置することができる。
【００６０】
また、本発明は、上述の構成に限られず、下記のように変形実施が可能である。
【００６１】
（１）上述の構成は、ＯＫアイコン２６を画面Ｄ上に表示する構成となっていたが、本発明はこれに限られない。すなわち、判断部１３は、事前指示が入力された時点を起点とした待機時間以内に実際指示の指示がなされた場合、この実際指示を無効とし、Ｘ線管３によるＸ線の照射を行わせない構成としてもよい。これにより、待機時間の期間中は画面Ｄには、設定値が表示されることになる。なお、待機時間は、図１における時間記憶部１５に記憶される。本変形例の構成によれば、判断部１３は、待機時間の経過後、実際指示が行われた場合に限ってＸ線の照射を行わせる。これにより、実際指示が行われる前に、術者に対し、Ｘ線管３の設定を視認させる期間を与えることができる。
【００６２】
（２）上記変形例を採用する場合において、図６に示すように、待機時間の期間中、画像Ｄに、実際指示が有効となるまでの残り時間を示すカウントダウンが表示される構成としてもよい。これにより、術者は、待機時間の経過をカウントダウンにより明確に知ることができ、より操作性の優れたＸ線撮影装置１が提供できる。なお、図６においては、カウントダウンが表示される領域は、設定値表示領域Ｒ４の内部に設けられている。しかしながら、これを設定値表示領域Ｒ４の近傍に設ける構成としてもよい。
【００６３】
（３）上述した各実施例は、医用の装置であったが、本発明は、工業用や、原子力用の装置に適用することもできる。
【００６４】
（４）上述した各実施例のいうＸ線は、本発明における放射線の一例である。したがって、本発明は、Ｘ線以外の放射線にも適応できる。
【符号の説明】
【００６５】
Ｒ１   撮影像表示領域
１     Ｘ線撮影装置（放射線撮影装置）
３     Ｘ線管（放射線源）
４     ＦＰＤ（検出手段）
１１   撮影像生成部（撮影像生成手段）
１３   判断部（判断手段）
１５   時間記憶部（時間記憶手段）
２１   表示部（表示手段）
２２   指示入力スイッチ（指示入力手段）
２６   ＯＫアイコン（確認入力手段）
【図１】
2010220838.tif 000003
【図２】
2010220838.tif 000004
【図３】
2010220838.tif 000005
【図４】
2010220838.tif 000006
【図５】
2010220838.tif 000007
【図６】
2010220838.tif 000008
【図７】
2010220838.tif 000009